(57)【要約】【課題】本発明は、未使用時には、女性が持ち歩いているバック等にいつも携帯していても邪魔にならない程、小さくかつ薄くなり、使用時にはある程度の許容量と強度を保持し、また円滑に商品収納が可能になるよう、迅速に変形する機能を持ち合わせた袋体を提供するものである。【解決手段】開口部１３に提げ手２を保有する袋体１であって、袋体１の山折りされた底部１２に、中央に折り目１７aを備えた左右対称となる一対の保形芯１７を保有し、両保形芯１７を折り目１７ａに沿って曲げ、それぞれに二つ折りされた左右対称の両保形芯１７を重ね合わせる事によって、二つ折りした保形芯１７と同じ形状まで、袋体１を小さくかつ薄く折り畳み携帯できるようにした事を特徴とし、保形芯１７を挟んで、底部１２の側縁下端１１ａ側と底部１２の稜線中央１２ａ側に係止部１９をそれぞれに設けた事を特徴とする袋体を提供するものである。  【選択図】      図３
2009201868.tif 000002
【特許請求の範囲】
【請求項１】
開口部（１３）に提げ手（２）を保有する袋体（１）であって、該袋体（１）の山折りされた底部（１２）に、中央に折り目（１７a）を備えた左右対称となる一対の保形芯（１７）を保有し、両該保形芯（１７）を該折り目（１７ａ）に沿って曲げ、それぞれに二つ折りされた左右対称の両該保形芯（１７）を重ね合わせる事によって、二つ折りした該保形芯（１７）と同じ形状まで、該袋体（１）を小さくかつ薄く折り畳み携帯できるようにした事を特徴とする袋体。
【請求項２】
該保形芯（１７）を挟んで、底部（１２）の側縁下端（１１ａ）側と底部（１２）の該稜線中央（１２ａ）側に係止部（１９）をそれぞれに設けた事を特徴とする、請求項１記載の袋体。
【請求項３】
該提げ手（２）は、開口部（１３）に設けられた見返し部（１４）の内側に、該袋体（１）の両側縁部（１１）から該開口部（１３）とほぼ同じ長さでそれぞれ挿通して収納され、かつ、該提げ手（２）は該見返し部（１４）の中央付近から露出し、使用時に、その露出した部分の該提げ手（２）を引き出す事で、該開口部（１３）を絞りながら該袋体の提げ手（２）となる事を特徴とする、請求項１又は２に記載の袋体。
【請求項４】
該提げ手（２）は、袋体（１）に設けられた第一の係止部（１６）と該提げ手（２）に設けられた第二の係止部（２１）とを備えており、未使用時には該係止部（１６）・（２１）相互が保持されて係止され、使用時には、露出した部分の該提げ手（２）が引き出される事により、該見返し部（１４）が、もう一方の見返し部と該係止部（１６）・（１６）により係止される事で、該開口部（１３）が閉る事を特徴とする、請求項１から３のいずれか一つに記載の袋体。
【請求項５】
該袋体（１）の両側縁上端（１１ｂ）間の横幅が、該袋体（１）の底部の両側縁下端（１１ａ）間の横幅より広い事を特徴とする、請求項１から４のいずれか一つに記載の袋体。
【発明の詳細な説明】
【技術分野】
【０００１】
本発明は、未使用時には女性が持ち歩いているバック等にいつも携帯していても邪魔にならない程、小さくかつ薄くなり、使用時にはある程度の許容量と強度を保持し、また円滑に商品収納が可能になるよう、迅速に変形する機能を持ち合わせた袋体を提供するものである。
【背景技術】
【０００２】
現在、スーパーマーケット等では、レジでの支払いの際に強化ポリエチレン製の買い物袋（通称レジ袋）が、買った商品と共に品数に合わせ、数枚無料で受け渡され、客はこのレジ袋に商品を収納して持ち帰る。しかし、このレジ袋は、通常一度限りの使い捨てを前提として作られており、昨今よく耳にする地球温暖化の観点より、売り手からも、近く有料化してでもこのレジ袋の使用を極力抑えようとする試みが、買い物ポイントの還元や、地方単位での法律の制定も考えながら、強力に推し進められようとしている。
【０００３】
他方、客は自ら持参した買い物袋（通称マイバック）で買い物をしようという思いはあっても、ついつい持参するのを忘れがちで、また常時携帯できるマイバックは商品収納許容量が少なく、強度や商品収納に入れやすさに問題もあり、逆にマイバックを携帯する為に、別の子袋が付いた物やファスナー等で折り畳む仕様のものもあるが、それらは本体を、折り紙のように規則正しく折り畳まないと元のように本体を小さく収納できず、レジ袋有料化に向けたマイバック持参はもう予断を許さない時であるのだが、一般にはまだまだ使い勝手が悪く、普及していかないのが現状である。
【特許文献１】特許３５３３３６８号公報
【特許文献２】特許３５３０８１８号公報
【非特許文献１】特開２００１−１９０３１７号公報
【非特許文献２】実願平９−１１４７２号公報
【発明の開示】
【発明が解決しようとする課題】
【０００４】
本発明は、未使用時には、女性が持ち歩いているバック等にいつも携帯していても邪魔にならない程、小さくかつ薄くなり、使用時にはある程度の許容量と強度を保持し、また円滑に商品収納が可能になるよう、迅速に変形する機能を持ち合わせた袋体を提供するものである。
【課題を解決するための手段】
【０００５】
本発明は、両側縁部１１を接合し開口部１３に提げ手２を保有する袋体１であって、該袋体１の山折りされた底部１２に、左右対称となる一対の保形芯１７を保有し、使用時には両該保形芯１７により収納した商品を安定させ、両該保形芯１７の中心に折り目１７ａを備え付ける事で、未使用時には両該保形芯１７をそれぞれ山折りされた稜線方向に二つ折りし、かつそれぞれに二つ折りされた左右対称の両該保形芯１７を重ね合わせる事によって、該袋体１を二つ折りした該保形芯１７と同じ形状まで、該袋体１を小さくかつ薄く折り畳み携帯できるようにした事を特徴とする袋体を提供するものである。袋体の具体例としては、ロハケース、チャットバック、携帯エコバ等が上げられる。
【０００６】
さらに、本発明は、該袋体１の底部１２に保有された一対の両該保形芯１７が、未使用時には、該袋体の山折りされた底部１２の稜線方向のみで二つ折りでき、使用時には、二つ折りされた両該保形芯１７のそれぞれを広げ、その状態で該袋体１の両側縁下端１１ａを底部１２の稜線中央１２ａ側に向けてそれぞれ折り込み、該側縁下端１１ａと底部１２の該稜線中央１２ａ側に係止部１９をそれぞれに設ける事で、両該側縁下端１１ａを該稜線中央１２ａ側とそれぞれに固定維持し、その結果、該袋体１の該底部１２に三角形の底辺の幅で船底型を形成し、該袋体１の底部１２が両該保形芯１７も含め積層する為補強され、さらに該袋体１の側縁部１１にマチ部を設けたのと同様の効果を保持し、迅速かつ安定的に買った商品を収納する事を特徴とする袋体を提供するものである。
【０００７】
また、本発明は、該袋体１の開口部１３に保有された提げ手２は、未使用時には、開口部１２に設けられた見返し部１４の内側に、該袋体１の両側縁部１１から該開口部１３とほぼ同じ長さでそれぞれ挿通して収納され、かつ、該提げ手２は該見返し部１４の中央付近から露出し、使用時には、その露出した部分の該提げ手２を引き出す事で、該開口部１３を絞りながら該袋体１の提げ手２となる事を特徴とする、袋体を提供するものである。
【０００８】
さらに、本発明は、該袋体１の開口部１３に設けられた見返し部１４から露出した提げ手２は、袋体１の開口部１３の見返し部１４に設けられた第一の係止部１６と該提げ手２に設けられた第二の係止部２１とを備えており、未使用時には該見返し部１４と係止する該係止部１６・２１が保持されて係止され、使用時には、露出した部分の該提げ手２が引き出される事により、該見返し部１４が、もう一方の見返し部１４と該係止部１６・１６により係止される事で、該開口部１３が閉る事を特徴とする、袋体を提供するものである。
【０００９】
また、本発明は、該袋体１の両側縁上端１３ａ間の横幅が、該袋体１の底部の両側縁下端１１ａ間の横幅より広い事を特徴とする袋体を提供するものである。
【発明の効果】
【００１０】
請求項１による本発明は、未使用時には、一対の保形芯１７を折り目１７ａによりそれぞれを容易に二つ折りでき、該袋体１をその二つ折りした保形芯１７の大きさまで、非常に小さくかつ薄く折り畳む事ができる。さらに使い終わった後は、該保形芯１７が軸となり、迅速かつ簡単に折り畳んで携帯でき、使用時にも、迅速かつ簡単に展開して大容量の袋となる利便性を備える。
【００１１】
さらに請求項２による本発明は、該袋体１の側縁下端１１ａを、底部１２稜線中央１２ａ側に向けて折り込んだ状態で、該側縁下端１１ａを固定維持する事により、該袋体１の底部１２が船底型を形成し、さらに該袋体１の側縁部１１にマチ部を設けたのと同様の効果を保持する為、商品収納が容易に迅速に行え、重量物を収納した状態でも持ち運びに支障をきたすことなく、また商品を収納した状態で袋ごと安定よく立て置く事を可能にした。
【発明を実施するための最良の形態】
【００１２】
以下、本発明の実施形態について図を参照しながら説明する。図１は本発明の袋体１を、未使用時、手軽に携帯する為に小さくかつ薄く折り畳んだ状態の斜視図であり、図２は該袋体１を使用する為に展開、及び折り畳む手順の斜視図で、さらに図３は、該袋体１を使用する為に展開し終わった該袋体１の正面上方からの斜視図である。図４は該袋体１の片方の側縁下端１１ａを指４１で掴んだ時の斜面図で、図５は指４１で掴んだ該側縁下端１１ａを底部１２稜線中央１２ａ方向に向けて折り込み、その位置にある係止部１９で係止しようとする斜視図。また、図６は両側縁下端１１ａと該底部１２稜線中央１２ａ側とを、それぞれ係止部１９で係止し固定維持した時、該底部１２に保有した一対の保形芯１７の三角形の底辺の幅で船底型を形成した該袋体１を、底部１２から見た斜視図である。図７は該袋体１の開口部１３に保有した提げ手２の露出部分を手４で引き出す時の斜視図で、図８は使用時、提げ手２を手４で持ち上げた時の該袋体１の斜視図である。図９は、図３における底部１２に保有し稜線方向に二つ折にされた保形芯１７の拡大図で、図１０は、図４における底部１２に保有した保形芯１７を広げた時の底部１２方向から見た拡大図である。図１１は、図３の側面図であり、図１２は、図４の側面図である。
【００１３】
該袋体１の底部１２には、左右対称の一対の保形芯１７を保有している。具体的には側縁下端側１１aにそれぞれ保有している。（図３参照）。該保形芯１７は、底部１２稜線方向のみだけに二つ折りできるよう折り目１７ａが備え付けてあり、未使用時は、それぞれの該保形芯１７は該折り目１７ａに沿って二つ折りされている（図９、図１０参照）。さらに折り畳み携帯する場合は、二つ折りした左右の該保形芯１７を重ね合わせ、その状態の該保形芯を軸としてさらに小さく折り畳み（図２参照）、その形状を開口部に備え付けた係止部の係止具で維持する（図１参照）。
【００１４】
該袋体１の底部１２には係止部１９が設けてある（図９、１０参照）。一方は両側縁下端１１ａと該保形芯１７の間にあり、それに対応するもう一方は、両側縁下端１１ａを底部１２の稜線中央１２ａ側に向けて、それぞれの該保形芯１７を軸として折り込んだ時の位置で、それぞれが係止できる位置に設けてある（図１０参照）。使用時は、まず折り畳まれた該袋体１を展開し（図１、２、３参照）該折り目１７ａに沿って二つ折りされた左右の該保形芯１７を広げ（図４、図１０参照）、該底部１２に設けられた該係止部１９によりそれぞれの該保形芯１７を係止し固定維持する（図５参照）。そうすることにより、山折だった該底部１２には芯の入った三角形の底辺の幅を持つ船底型の底が形成される事になる（図６参照）。この船底とは、袋体の側面のみならず、底面も大きく湾曲している形状をいう。
【００１５】
さらに、該袋体１の両側縁下端１１ａにはそれぞれに突起物１８が備え付けてある（図３参照）。これは使用時両該保形芯１７を、稜線中央１２ａ側に折り込む時の係止部１９への誘導にも便利であり（図４，５参照）、特に該袋体１を使い終わり、逆に両該係止部１９を開放する時それぞれを両手の指で摘め、一度に迅速かつ確実に両該係止部１９の係止を開放できる。
【００１６】
該袋体１は、開口部１３の見返し部１４の内側に、側縁上端１３ａから挿通して提げ手２を保有している。該提げ手２は、該見返し部１４の中央付近で該見返し部１４から露出している（図３参照）。
【００１７】
それぞれの該見返し部１４と該提げ手２には係止部１６・２１があり、未使用時には該係止部１６・２１によりそれぞれ係止されている。さらに、該係止部１６・２１の組み合わせは該見返し部１４どうし、また該提げ手２同士でも係止できる組み合わせになっている（図３参照）。
【００１８】
本発明の袋体１の素材としては、未使用時、携帯に邪魔にならない程に小さくかつ薄く折り畳まれる為に、綿等の薄くやわらかい素材でも問題はないが、使用時にはある程度の重量の商品を、該袋体１に商品を収納しても破損しない強度が必要である事や、汚れや水に強いという事も考え合わせると、ナイロン等の合成繊維素材の方が好ましい。また、未使用時、折り畳んだ該袋体１を形状維持する（図１参照）為の係止具３は、面ファスナーでも問題はないが、伸縮性のあるゴム等の方が好ましい。
【００１９】
該袋体１の底部１２に保有された一対の保形芯１７の形状としては、未使用時、該保形芯１７を、該保形芯１７の中心に付けた折り目１７ａで二つ折りし、その大きさまで該袋体１を折り畳む（図１、図２参照）為には、丸形や角形でも問題はないが、使用時、該袋体１の底部１２を船底型にし、さらに該袋体の両側縁部１１にマチ部を設けたのと同様の効果を保持する事も考え合わせると、側縁下端１１ａ方向を頂点に持つ三角形の形状の方が好ましい。さらに、この三角形の形状は折り目１７aに沿って二つ折りし重ねる事を考え合わせると（図９参照）、二等辺三角形の形状がより好ましい。
【００２０】
さらに、該保形芯１７の大きさは、未使用時、小さくかつ薄く折り畳む為に、該袋体１の両側縁下端１１ａ間の横幅に対して五分の一以上、三分の一以下の大きさから選択され、より好ましくは四分の一程度にする方が良い。（図２参照）また該保形芯１７の素材としては、未使用時手軽に携帯する為には、軽い金属系でも問題はないが、未使用時に該保形芯１７の中心に備え付けた折り目１７ａで二つ折りされ、使用時に広げられる事も考え合わせると、薄いプラスチック系の素材の方が好ましい。
【００２１】
さらに、該保形芯１７を該袋体１の底部１２に保有する方法としては、該保形芯１７を該袋体１底部１２の所定の位置に直接、接着または縫い付けるという方法でも問題はないが、強度や見た目も考え合わせると、該保形芯１７を該袋体１と同じ素材で封印固定し、該保形芯１７を封印固定した該素材を所定の位置に縫い付けるという方法の方が好ましい。またこの所定の位置とは、該袋体１底部１２内側側縁辺りや該袋体１側縁部１１下端辺りでも問題はないが、使用時の該袋体の展開、未使用時の該袋体の折り畳みの作業を考え合わせると、該袋体１の底部１２外側側縁辺りの位置の方が好ましい。
【００２２】
該袋体１の底部１２の係止部１９の係止具としては、ドットボタンや面ファスナー、さらにはボタンとループの組み合わせ等でも問題はないが、該係止部１９を係止したりまた開放したりする作業を迅速かつ確実に行うためには、小さくかつ強力な磁石を用いる方が良い。
【００２３】
該袋体１の両側縁下端１１ａに備え付けた該突起物１８の素材としては、該袋体の素材に適合した薄く柔らかいリボンのようなもので、該突起物１８の長さとしては２センチから５センチの長さの範囲から選択され、より好ましくは３センチ位の長さのそれ程短くないものの方が良い。
【００２４】
次に、該袋体１開口部１３の見返し部１４に保有する提げ手２の形状としては、紐のような円柱形でも問題ないが、未使用時、該袋体１をより小さくかつ薄く折り畳み携帯する為には、該見返し部１４に沿うような薄いリボン形の形状方がより好ましい。また、該提げ手２を該見返し部１４から露出する方法としては、見返し部１４の中央付近に切り込みを入れ、その切り込みから該提げ手２を露出させるという方法でも問題はないが、見た目や強度さらにはコストの面から考え合わせると、該見返し部１４に孔１５を開け、その孔にアイレット等の軽い金属等の器具１５ａを該孔１５周辺に備え付け補強し、該孔１５から該提げ手２を露出させるという方法の方がより好ましい。
【００２５】
該提げ手２を引き出した後に開口部１３の見返し部１４どうしを係止する方法としては、ドットボタン等でも問題はないが、未使用時、該袋体１を小さくかつ薄く折り畳み携帯する事と、該袋体１に収納した商品の重みで該開口部１３が自然に係止されるという可能性を考え合わせると、やわらかい面ファスナーを使って係止する方法の方がより好ましい。また未使用時に、該見返し部１４と露出した該提げ手２が（自然と）係止される方法としては、（折り畳む作業を容易にするという為に、）該見返し部１４に保有した面ファスナー１６と係止できる（見返し部と凹凸が逆の）組み合わせの面ファスナー２１を露出した該提げ手２に備え付けても良い。
【００２６】
以上の事より本発明は、未使用時には、袋体１両側縁下端１１ａ横幅に対して五分の一以上、三分の一以下の大きさまでの幅の小さな一対の保形芯１７が、中心につけた折り目１７ａでそれぞれに稜線方向だけに二つ折りでき、該袋体１をその二つ折りした小さな保形芯１７の大きさまで非常に小さくかつ薄く畳め、さらに該保形芯１７が軸となり、迅速かつ簡単に折り畳んで携帯できる。使用時には、その折り畳まれた該袋体を、迅速かつ簡単に展開して大容量の袋体となる利便性を備え、さらに側縁下端１１ａを、底部１２の稜線中央１２ａ側に向けて折り込み、かつその位置で該側縁下端１１ａを底部１２の係止部１９で固定維持する事により、該袋体１の底部１２が船底型を形成し、さらに該袋体１の側縁部１１にマチ部を設けたのと同様の効果を保持する事で、商品収納が容易に迅速に行え、重量物を収納した状態でも持ち運びに支障をきたすことなく、また商品を収納した状態の該袋体１を、安定よく立て置く事をできるのである。他方、開口部１３に保有された提げ手２は、見返し部１４の内側に挿通してあり、かつ該提げ手２はリボン状の薄い形状である為、未使用時小さくかつ薄く折り畳む時にも、また該袋体１内に商品を収納する時にも邪魔にならない。さらに該袋体１に商品を収納し、該提げ手２を手で引っ張り上げる時（図２参照）には、該提げ手２が露出していない該見返し部１４は、収納した商品の重みで巾着状に閉まり、該提げ手２が見返し部１４から露出した部分の開口部１３は、該見返し部１４の係止部１６・１６が該開口部１３を自然と係止する事になる（図８参照）。
【００２７】
本発明は、未使用時小さくかつ薄く折り畳まれ、バック等に常時携帯していても邪魔にならない為、今後（通称）レジ袋が売り手の店側から無料配布されなくなり、その事を忘れ買い物をしてしまっても、即座にある程度の許容量と強度を持つ袋体を、バック等から取り出しその場で即座に展開し、使用できる為困る事はない。しかし、あらかじめある程度の買い物をするという事が分かっている状況は予想でき、その為には袋体の大きさを例えば、大、中、小等と作っておくと、定時の買い物は大きい袋体を持参し、コンビニ等への緊急の買い物は中もしくは小の袋体を、常に携帯し準備しておくという事もでき、いろいろな場面で便利に使用できる袋体を提供するものである。
【００２８】
さらに、該袋体１の両側縁上端１１ｂ間の横幅が、該袋体１の底部の両側縁下端１１ａ間の横幅より広い為、中や小の小さな大きさのものであっても、該袋体の底をすぐに探す事ができ、迅速かつ確実に商品の収納を可能にした。
【図面の簡単な説明】
【００２９】
【図１】本発明の袋体を、未使用時、手軽に携帯する為に小さく薄く折り畳んだ状態の斜視図である。
【図２】該袋体を使用する為に展開、及び折り畳む手順の斜視図である。
【図３】該袋体を使用する為に展開し終わった該袋体の正面上方からの斜視図である。
【図４】該袋体の片方の底部側縁下端を、指で掴んだ時の斜面図である。
【図５】指で掴んだ該側縁下端を底部稜線中央方向に向けて折り込み、その位置で係止して固定維持しようとする斜視図である。
【図６】両側縁下端を該底部稜線中央辺りにて、それぞれ係止部で係止し固定維持した時、該底部に保有した一対の保形芯の三角形の底辺の幅で船底型を形成した該袋体を、底部から見た斜視図である。
【図７】該袋体の開口部に保有した提げ手の露出部分を手で引き出す時の斜視図である。
【図８】使用時提げ手を手で持ち上げた時の該袋体の斜視図である。
【図９】図３における底部に保有し稜線方向に二つ折にされた保形芯の拡大図である。
【図１０】図４における底部に保有した保形芯を広げた時の底部方向から見た拡大図である
【図１１】図３の側面図である。
【図１２】図４の側面図である。
【符号の説明】
【００３０】
１    袋体
１１  側縁部
１１ａ側縁下端部
１１ｂ側縁上端部
１２  底部
１２ａ稜線中央部
１３  開口部
１４  見返し部
１５  見返し孔部
１５ａ見返し孔補強具
１６  見返し係止具
１７  保形芯
１７ａ保形芯二つ折り目部
１８  指で掴める突起物
１９  底部の係止具
２    提げ手
２１  提げ手係止具
３    袋体折り畳み用係止具
４    手
４１  指
【図１】
2009201868.tif 000003
【図２】
2009201868.tif 000004
【図３】
2009201868.tif 000005
【図４】
2009201868.tif 000006
【図５】
2009201868.tif 000007
【図６】
2009201868.tif 000008
【図７】
2009201868.tif 000009
【図８】
2009201868.tif 000010
【図９】
2009201868.tif 000011
【図１０】
2009201868.tif 000012
【図１１】
2009201868.tif 000013
【図１２】
2009201868.tif 000014